(57)【要約】【課題】構造が簡素で製造コストが安く、電池パック間の温度分布を均一化する、電池ユニット間の温度分布を均一化するシステムを提供する。【解決手段】電池ユニット間の温度分布を均一化するシステム１００は、熱伝導流体１２０、閉ざされたハウジング１３０及び循環モジュールを備える。熱伝導流体１２０は、電池ユニットを覆うとともに、電池ユニットの周り、かつ／又は、電池ユニット間の特定経路に沿って循環する。閉ざされたハウジング１３０は、電池ユニット及び熱伝導流体１２０を覆う。循環モジュールは、閉ざされたハウジング１３０の内側又は外側に取り付けられ、電池ユニットの周り、かつ／又は、特定経路に沿って熱伝導流体１２０を循環させる。電池ユニットは、直列方式又は並列方式で互いに接続され、循環モジュールにより熱伝導流体１２０を循環させると、電池ユニット間の温度分布が均一化される。【選択図】図２
2015210867.tif 000002
【特許請求の範囲】
【請求項１】
熱伝導流体、閉ざされたハウジング及び循環モジュールを備えた、電池ユニット間の温度分布を均一化するシステムであって、
前記熱伝導流体は、前記電池ユニットを覆うとともに、前記電池ユニットの周り、かつ／又は、前記電池ユニット間の特定経路に沿って循環し、
前記閉ざされたハウジングは、前記電池ユニット及び前記熱伝導流体を覆い、
前記循環モジュールは、前記閉ざされたハウジングの内側又は外側に取り付けられ、前記電池ユニットの周り、かつ／又は、特定経路に沿って前記熱伝導流体を循環させ、
前記電池ユニットは、直列方式又は並列方式で互いに接続され、前記循環モジュールにより前記熱伝導流体を循環させると、前記電池ユニット間の温度分布が均一化される、ことを特徴とする、
電池ユニット間の温度分布を均一化するシステム。
【請求項２】
前記電池ユニットは充電池芯又は充電池パックであることを特徴とする請求項１に記載の電池ユニット間の温度分布を均一化するシステム。
【請求項３】
前記熱伝導流体は熱伝導ガス又は熱伝導液体であることを特徴とする請求項１に記載の電池ユニット間の温度分布を均一化するシステム。
【請求項４】
前記熱伝導ガスは空気又は不活性ガスであることを特徴とする請求項３に記載の電池ユニット間の温度分布を均一化するシステム。
【請求項５】
前記熱伝導液体は水、シリコーン油、又は磁性体を含んだ液体であることを特徴とする請求項３に記載の電池ユニット間の温度分布を均一化するシステム。
【請求項６】
前記電池ユニット間に配設され、前記熱伝導流体の特定経路として用いる循環管路をさらに備えることを特徴とする請求項１に記載の電池ユニット間の温度分布を均一化するシステム。
【請求項７】
前記循環モジュールは、ポンプ、バイブレータ、ファン、磁気回転子を有するモータ又は磁気回転子を有する装置であり、前記閉ざされたハウジングの外部磁力変化により駆動することを特徴とする請求項１に記載の電池ユニット間の温度分布を均一化するシステム。
【請求項８】
熱伝導流体、ハウジング及び循環モジュールを備えた、電池ユニット間の温度分布を均一化するシステムであって、
前記熱伝導流体は、前記電池ユニットを覆うとともに、前記電池ユニットの周り、かつ／又は、前記電池ユニット間の特定経路に沿って循環し、
前記ハウジングには、前記電池ユニットと、前記熱伝導流体の一部とが収容されるとともに、少なくとも１つの流通孔を有し、前記流通孔を介して前記熱伝導流体の一部が前記ハウジングを出入りし、
前記循環モジュールは、前記ハウジングの内側又は外側に取り付けられ、前記電池ユニットの周り、かつ／又は、特定経路に沿って前記熱伝導流体が循環し、
前記電池ユニットは、直列方式又は並列方式で互いに接続され、前記循環モジュールにより前記熱伝導流体を循環させると、前記電池ユニット間の温度分布が均一化される、ことを特徴とする、
電池ユニット間の温度分布を均一化するシステム。
【請求項９】
前記熱伝導流体は熱伝導ガス又は熱伝導液体であることを特徴とする請求項８に記載の電池ユニット間の温度分布を均一化するシステム。
【請求項１０】
前記熱伝導ガスは空気又は不活性ガスであることを特徴とする請求項９に記載の電池ユニット間の温度分布を均一化するシステム。
【請求項１１】
前記熱伝導液体は水、シリコーン油、又は磁性体を含んだ液体であることを特徴とする請求項９に記載の電池ユニット間の温度分布を均一化するシステム。
【請求項１２】
前記電池ユニットは充電池芯又は充電池パックであることを特徴とする請求項８に記載の電池ユニット間の温度分布を均一化するシステム。
【請求項１３】
前記循環モジュールは、ファン、バイブレータ、磁気回転子を有するモータ又は磁気回転子を有する装置であり、前記ハウジングの外部磁力変化により駆動することを特徴とする請求項８に記載の電池ユニット間の温度分布を均一化するシステム。
【請求項１４】
循環する際に前記ハウジングを出入りする前記熱伝導流体の量は、循環開始前の前記ハウジング内の前記熱伝導流体全体の交換量より少ないことを特徴とする請求項８に記載の電池ユニット間の温度分布を均一化するシステム。
【請求項１５】
前記交換量は、前記ハウジング内の前記熱伝導流体全体の３０％以内であることを特徴とする請求項１４に記載の電池ユニット間の温度分布を均一化するシステム。
【発明の詳細な説明】
【技術分野】
【０００１】
本発明は、温度分布を均一化するシステムに関し、特に、電池ユニット間の温度分布を均一化するシステムに関する。
【背景技術】
【０００２】
充電池パックは、様々な分野で幅広く利用されている。例えば、パーソナルコンピュータ、電気自動車など日常生活で使用される製品は、その多くが充電池パックで駆動され、新たに研究開発された充電池パックは環境を汚染することがなく、使用寿命が長く、品質が安定しているため、生活の質が向上する上、二酸化炭素の排出及び空気汚染が少ない。
【０００３】
しかし、充電池パックには、改良が必要な欠点が存在した。欠点の１つとして、充電池芯間が不均衡となって老化を招くことがある。
１つの充電池パックは、設計容量に応じて複数の充電池芯から構成され、充電池芯は直列接続方式又は並列接続方式により互いに接続されている。充電池芯は充電池パックの重要な部材でもある。充電池芯は、充放電される際、高温となる。充電池芯が過熱されると、ライフサイクルが短くなる虞があった。そのため、充電池芯の発熱を防ぐことができる場合、特に大容量の充電池パックにとって役に立つ。
また、充電池パックには、充電池芯間の温度分布が不均一となる問題点があった。これはよく知られているように充電池芯が不均衡となる原因となり易かった。高温の充電池芯は、他の充電池芯より老化し易かった。そのため、例えば、電力容量などの電気特性はその他の物と異なる。充電池芯の適切な動作は、充電池パック動作の基礎であるため、１つ又は複数の充電池芯が不均衡となる問題が生じて適切に動作しなくなる場合、充電池パックは、効果が失われたり性能が低下したりする虞がある。
【０００４】
そのため、上述の問題点を解決するために、多くの従来技術で様々な温度制御方式が採用されている。例えば、図１に示すような充電池モジュールの温度を下げる温度制御システム１０が開示されている（特許文献１）。
このシステム１０は、貯留槽２、ポンプ４及び管路７，８，９を含む。貯留槽２中には、流体が含まれる。ポンプ４は、管路７を介して貯留槽２から流体を汲み上げる。その後、ポンプ４は、管路８を介して流体を充電池モジュール６へ送る。充電池モジュール６は、冷却マニホールド１、熱交換器５及び冷却マニホールド３を含み、以下それらについて詳説する。
冷却マニホールド１の配置は、充電池モジュール６中の各熱交換器５を介して実質上等しい流量を得て、これら複数の充電池芯が有するものと等しい熱エネルギを除去することができる。そのため、充電池モジュール６中の全ての充電池芯は略同じ温度が維持され、充電池芯は、出力電圧を含む均一な操作特性を得る。冷却マニホールド３は、充電池モジュール６内の熱交換器５から供給された加熱流体を受け、管路９を介して加熱された流体を貯留槽２中へ戻す。
【０００５】
特許文献１は、典型的な発明であり、冷却内部の充電池芯の温度構造を提供するが、これには１つ問題点があった。即ち、管路９内の流体が回流して外部環境により冷却され、管路９内の流体温度が管路９より低くなるという問題点である。しかし、充電池芯にとっては、管路８に近い側の冷却効果（即ち温度下降）が高い。これは即ち流体が先に接触した充電池芯の熱を後で接触する物へ運ぶためである。しかし両者は、同じ状況下で作動し、略同じ熱量を発生させるため、後者は前者よりも多くの熱を放出することはできなかった。また、冷却マニホールド１，３及び熱交換器５は複雑な装置であるため、システム１０のコストが多くなる虞があった。
【先行技術文献】
【特許文献】
【０００６】
【特許文献１】米国特許第８４２６０５０号明細書
【発明の概要】
【発明が解決しようとする課題】
【０００７】
本発明の目的は、従来の充電池芯又は充電池パックの温度制御システムでは、温度分布が不均一である上に高コストであり、加熱又は冷却を制御することができないという欠点を改善し、構造が簡素で製造コストが安く、電池パック間の温度分布を均一化するシステムを提供することにある。
【課題を解決するための手段】
【０００８】
上記課題を解決するために、本発明の第１の形態によれば、熱伝導流体、閉ざされたハウジング及び循環モジュールを備えた、電池ユニット間の温度分布を均一化するシステムであって、前記熱伝導流体は、前記電池ユニットを覆うとともに、前記電池ユニットの周り、かつ／又は、前記電池ユニット間の特定経路に沿って循環し、前記閉ざされたハウジングは、前記電池ユニット及び前記熱伝導流体を覆い、前記循環モジュールは、前記閉ざされたハウジングの内側又は外側に取り付けられ、前記電池ユニットの周り、かつ／又は、特定経路に沿って前記熱伝導流体を循環させ、前記電池ユニットは、直列方式又は並列方式で互いに接続され、前記循環モジュールにより前記熱伝導流体を循環させると、前記電池ユニット間の温度分布が均一化される、ことを特徴とする電池ユニット間の温度分布を均一化するシステムが提供される。
【０００９】
前記電池ユニットは充電池芯又は充電池パックであることが好ましい。
【００１０】
前記熱伝導流体は熱伝導ガス又は熱伝導液体であることが好ましい。
【００１１】
前記熱伝導ガスは空気又は不活性ガスであることが好ましい。
【００１２】
前記熱伝導液体は水、シリコーン油、又は磁性体を含んだ液体であることが好ましい。
【００１３】
前記電池ユニット間に配設され、前記熱伝導流体の特定経路として用いる循環管路をさらに備えることが好ましい。
【００１４】
前記循環モジュールは、ポンプ、バイブレータ、ファン、磁気回転子を有するモータ又は磁気回転子を有する装置であり、前記閉ざされたハウジングの外部磁力変化により駆動することが好ましい。
【００１５】
上記課題を解決するために、本発明の第２の形態によれば、熱伝導流体、ハウジング及び循環モジュールを備えた、電池ユニット間の温度分布を均一化するシステムであって、  前記熱伝導流体は、前記電池ユニットを覆うとともに、前記電池ユニットの周り、かつ／又は、前記電池ユニット間の特定経路に沿って循環し、前記ハウジングには、前記電池ユニットと、前記熱伝導流体の一部とが収容されるとともに、少なくとも１つの流通孔を有し、前記流通孔を介して前記熱伝導流体の一部が前記ハウジングを出入りし、前記循環モジュールは、前記ハウジングの内側又は外側に取り付けられ、前記電池ユニットの周り、かつ／又は、特定経路に沿って前記熱伝導流体が循環し、前記電池ユニットは、直列方式又は並列方式で互いに接続され、前記循環モジュールにより前記熱伝導流体を循環させると、前記電池ユニット間の温度分布が均一化される、ことを特徴とする電池ユニット間の温度分布を均一化するシステムが提供される。
【００１６】
前記熱伝導流体は熱伝導ガス又は熱伝導液体であることが好ましい。
【００１７】
前記熱伝導ガスは空気又は不活性ガスであることが好ましい。
【００１８】
前記熱伝導液体は水、シリコーン油、又は磁性体を含んだ液体であることが好ましい。
【００１９】
前記電池ユニットは充電池芯又は充電池パックであることが好ましい。
【００２０】
前記循環モジュールは、ファン、バイブレータ、磁気回転子を有するモータ又は磁気回転子を有する装置であり、前記ハウジングの外部磁力変化により駆動することが好ましい。
【００２１】
循環する際に前記ハウジングを出入りする前記熱伝導流体の量は、循環開始前の前記ハウジング内の前記熱伝導流体全体の交換量より少ないことが好ましい。
【００２２】
前記交換量は、前記ハウジング内の前記熱伝導流体全体の３０％以内であることが好ましい。
【発明の効果】
【００２３】
本発明の電池ユニット間の温度分布を均一化するシステムは、熱伝導流体の循環により、電池ユニット間で温度分布を均一化することができる上、製造コストが安価で、温度分布を均一化することができる上、システム外部のその他の方式により調整することもできる。
【図面の簡単な説明】
【００２４】
【図１】従来の冷却システムを示したブロック図である。
【図２】本発明の第１実施形態に係る電池ユニット間の温度分布を均一化するシステムを模式的に示した図である。
【図３】本発明の第２実施形態に係る電池ユニット間の温度分布を均一化するシステムを模式的に示した図である。
【図４】本発明の第３実施形態に係る電池ユニット間の温度分布を均一化するシステムを模式的に示した図である。
【図５】異なるシステム中の充電池芯の温度分布の充電池パックを模式的に示した図及び表である。
【図６】本発明の第４実施形態に係る電池ユニット間の温度分布を均一化するシステムを模式的に示した図である。
【発明を実施するための形態】
【００２５】
以下、本発明の実施形態について図に基づいて説明する。なお、これによって本発明が限定されるものではない。
【００２６】
（第１実施形態）
図２を参照する。図２は、本発明の第１実施形態に係る電池ユニット間の温度分布を均一化するシステムを模式的に示した図である。図２に示すように、本発明の第１実施形態に係るシステム１００は、充電池芯１１０間の温度分布を均一化するために用いる。簡単に説明するために、図２では充電池芯１１０が８個で表されている。
【００２７】
システム１００は、熱伝導流体１２０、閉ざされたハウジング１３０及びポンプ１４０を含む。ここで図２では説明の便宜上、閉ざされたハウジング１３０内の部材が見えるように、一部が省略されて表されているが、実際には閉ざされたハウジング１３０は完全に密封されており、熱伝導流体１２０がその中に含まれて溢れ又は漏れが発生する虞は無い。また、充電池芯１１０間は、直列方式又は並列方式によりそれぞれ接続されている。しかし充電池芯１１０の数は８個に限定されるわけではなく、設計容量に応じて調整してもよい。
第１実施形態のシステム１００は、充電池芯１１０の様々な組み合わせにより応用してもよい。そのため各充電池芯１１０間の何れの接続方式であっても、その他充電池芯１１０の固定及び通電の補助部品に関してはここでは述べず、システム１００及び操作方法に関してのみ述べる。
【００２８】
第１実施形態の熱伝導流体１２０として使われているのはシリコーン油であるが、実際には、熱伝導流体１２０はその他熱伝導ガス又は熱伝導液体でもよい。熱伝導ガスは、例えば、空気、不活性ガス又は混合不活性ガスでもよく、さらには空気と不活性ガスとの組み合わせでもよく、システム１００に必要な冷却効果及びコストに応じて決定してもよい。熱伝導液体を使用する場合、特別な状況下では磁性体を含む液体を使用してもよい。これについては以下で述べる。
熱伝導流体１２０は、充電池芯１１０を覆うため、物理的損傷又は化学的損傷が全く発生しない。熱伝導流体１２０は、充電池芯１１０を囲んで循環する。図２に示すように、熱伝導流体１２０は、充電池芯１１０の外側を回流する。充電池芯１１０は、８個しかないため、循環が充電池芯１１０を通過すると、充電池芯１１０が動作するときに発生する熱を均一に奪うことができる。そのため、充電池芯１１０間の温度分布が均一化される。
【００２９】
閉ざされたハウジング１３０は、充電池芯１１０及び熱伝導流体１２０の内部を覆う。システム１００及び熱伝導流体１２０が１つの充電池パックとして用いられる場合、閉ざされたハウジング１３０は、充電池パックのハウジングである。閉ざされたハウジング１３０の材料は、金属、プラスチック、ガラス繊維又はその他適切な材料でもよい。
【００３０】
ポンプ１４０は、システム１００の動作に必要な重要な部材であり、閉ざされたハウジング１３０内部に取り付けられる。ポンプ１４０が作動すると、熱伝導流体１２０が（図２の矢印で示すように）複数の充電池芯１１０の周りか、充電池芯１１０間の特定経路に沿って循環し、充電池芯１１０間の温度分布が均一化される。
循環も同時に特定経路を通過し、充電池芯１１０の周りを通る。ここでポンプは如何なる形式の物を使用してもよい。熱伝導流体１２０自身の循環は、充電池芯１１０と接続された全ての部材を通過するため、例えば、固定フレーム、導電片、ＢＭＳ（Ｂａｔｔｅｒｙ  Ｍａｎａｇｅｍｅｎｔ  Ｓｙｓｔｅｍ）の部材の平均温度よりも高い熱を奪い、循環される空間内の温度分布が均一化される。
【００３１】
（第２実施形態）
本発明の第２実施形態では特定経路が具体的に実現される。図３を参照する。図３に示すように、第２実施形態では説明の便宜上、第１実施形態と同様のシステム１００が使用されているが、ポンプ１４０に循環管路１４２が接続されている点が異なる。循環管路１４２は、複数の充電池芯１１０間に配設される。
図３に示すように、循環管路１４２は、前方に配設された４つの充電池芯１１０と、後方に配設された４つの充電池芯１１０との間にメアンダ形状に配設される。循環管路１４２は、熱伝導流体１２０の特定経路として用いられる。熱伝導流体１２０は、循環管路１４２を介してポンプ１４０により循環されると、充電池芯１１０からの熱を奪う。ポンプ１４０は、循環管路１４２内の熱伝導流体１２０と循環管路１４２外の熱伝導流体１２０とを交換することができる。
従来技術である特許文献１と異なり、閉ざされたハウジング１３０により形成される空間が限定されるため、数回循環された後、充電池芯１１０間で温度分布が均一化され、理想的には閉ざされたハウジング１３０内部の空間全体に温度分布される。
【００３２】
（第３実施形態）
図４を参照する。図４に示すように、本発明の第３実施形態に係る熱伝導流体１２０は、充電池芯１１０の周りを循環し、充電池芯１１０間の特定経路に沿って循環すると、充電池芯１１０間の温度分布が均一化される。図４の構造には、補助ポンプ１５０が取り付けられている。この補助ポンプ１５０は、熱伝導流体１２０を複数の充電池芯１１０の周りを（図４の矢印方向で）循環させる。
このシステムは２つの流動により温度分布を均一化する。本発明では、何れの個数のポンプ又は循環モジュールを用いても温度分布が均一化した流動を作ることができる。別の変化方式では、循環管路１４２内の熱伝導流体１２０がある種の材料からなり、循環管路１４２外の熱伝導流体１２０とが独立し、両者がそれぞれ独立して循環管路１４２の内外で流動されてもよい。例えば、循環管路１４２内の熱伝導流体１２０は水であり、外部の熱伝導流体１２０は、シリコーン油（ｓｉｌｉｃｏｎｅ  ｏｉｌ）でもよい。このように本発明は、温度分布を均一化させることができる。
一般にポンプ１４０，１５０は、バイブレータに置き換えることができる。バイブレータは、熱伝導流体１２０の流動を案内する。他の実施形態のポンプ１４０，１５０では、磁気回転子を有するモータ形式が採用されているが、熱伝導流体１２０は、磁性体を含んだ液体でなければならない。例えば、モータが磁気回転子を回転させると、液体中の磁性体がそれに伴って移動する。その結果、熱伝導流体１２０（液体）が循環し、温度分布が均一化される。磁気回転子を有するモータは、磁気回転子を有する装置でもよく、閉ざされたハウジングの外側面の磁力変化により駆動されるため、閉ざされたハウジング１３０の外側に取り付けた駆動装置に等しい。
【００３３】
図５を参照する。図５に示すように、充電池パック２００は、ケース２２０内に多数の充電池芯２１０を含む。充電池パック２００が作動するときに冷却されない場合、各充電池芯２１０の温度分布は、表の実線曲線で表される状態となる。横軸は、充電池芯２１０が充電池パック２００の断面上からＡ点までの距離を示す。
図５の表から分かるように、中心部の充電池芯２１０は、その他周辺の充電池芯２１０よりも温度が高いことから、充電池芯２１０の熱伝導及び放熱が困難であることが容易に理解できる。
従来技術の放熱システムは、Ａ点からＢ点までの循環流体により熱を奪う場合、実線曲線が点線曲線に変わる。点線曲線においてＡ点近くの充電池芯２１０を探し出すことができ、Ａ点からわずかに離れた充電池芯２１０の温度低下をより大きくすることができる。Ｂ点近くの充電池芯２１０の温度は最高であるが、循環放熱が無い場合よりも好ましい。
【００３４】
本発明が提供するシステムを応用すると、温度分布曲線が水平線（図５の点線）に変わる。これは充電池芯２１０全てが均一に冷却されていることを示す。この温度は、従来技術で使用する放熱システムよりも高いが、充電池パック２００内の温度を、例えば、ファン、通風環境などの冷却方式（図示せず）により下げて、ケース２２０の外側を冷却し、充電池芯２１０間の温度分布を均一化する。
また、充電池芯２１０は、他の加熱方式（図示せず）により均一に外部加熱を行い、充電池パック２００を寒冷エリアで使用する際、適切な温度にして正常な動作を得てもよい。
【００３５】
勿論、本発明の処理対象は、充電池芯のみに限定されるわけではなく、充電池パックでもよい。即ち、充電池芯は同時に冷却を行ってもよく、重要な点は充電池パック間の温度分布を均一に維持することである。
【００３６】
（第４実施形態）
図６を参照する。図６は、本発明の第４実施形態に係る電池ユニット間の温度分布を均一化するシステムを模式的に示した図である。図６に示すように、システム３００は、電池ユニット３１０間の温度分布を均一化する。電池ユニット３１０間は、直列方式又は並列方式で互いに接続される。上述したように、これら複数の電池ユニット３１０は、充電池芯又は充電池パックでもよい。システム３００は、熱伝導流体３２０、ハウジング３３０及びファン３４０を含む。
【００３７】
本発明の第４実施形態は閉じた環境だけに限定されるわけではなく、一部の熱伝導流体３２０がハウジング３３０を出入りするようにしてもよい。熱伝導流体３２０は空気であることが好ましい。熱伝導流体３２０は、複数の電池ユニット３１０を覆い、電池ユニット３１０及び／又は電池ユニット３１０間の特定経路に沿って循環する。その他内部経路の案内装置により流動が案内されるが、ここではそれに関する説明はしない。そのため、ハウジング３３０は、複数の電池ユニット３１０を収容するだけであり、それらを覆うことはない。
ハウジング３３０は、熱伝導流体３２０を部分的に収容するとともに、少なくとも１つの流通孔３３２を有する。熱伝導流体３２０の一部は、流通孔３３２によりハウジング３３０を出入りする。
本発明は実質上閉じた環境を提供し、これら複数の電池ユニット３１０間の温度分布を均一化し、流通孔３３２を介して外部環境と熱交換を行い、システム３００は全ての電池ユニット３１０の温度分布を均一化することができるだけでなく、温度を少しだけ制御することもできる。流通孔３３２は、数が多すぎたり面積が大きすぎる場合、内部の温度分布のバランスが崩れる。好適な状況において、循環するときにハウジング３３０を出入りする熱伝導流体３２０の量は、循環が開始される前にハウジング３３０内の熱伝導流体３２０全体の交換量より少ない。交換量は、３０％のハウジング３３０中の熱伝導流体３２０全体の量でもよいし、３０％より少なくてもよい。
流体の境界層効果により、所定の百分率を超える交換量は、ハウジング３３０内の熱伝導流体３２０が外環境に対して循環放熱を行っていると見なすことができ、これは本発明の精神から外れる。この百分率は、設計の違いに応じて変動する。ここで３０％は１つの参考値であり、それより高い交換量も本発明の範囲内に含まれ、実際には固定比率の熱伝導流体３２０がハウジング３３０内で循環するか否かにより決めてもよい。
【００３８】
ファン３４０又は循環モジュールは、ハウジング３３０中に取り付けられ、複数の電池ユニット３１０及び／又は特定経路に沿って熱伝導流体３２０を循環させてもよい。ファン３４０により熱伝導流体３２０が循環されると、これら複数の電池ユニット３１０間の温度分布が均一化される。
上述した複数の実施形態で説明したように、本実施形態を開放したハウジング３３０へ応用し、熱伝導流体３２０は空気だけに限定されるわけではなく、熱伝導流体又は熱伝導液体でもよい。熱伝導液体は、水、シリコーン油又は磁性体を含んだ液体でもよい。ファン３４０は、熱伝導流体３２０の違いに応じてバイブレータ（ｖｉｂｒａｔｏｒ）、磁気回転子を含むモータ、又は磁気回転子を含む装置であるとともにハウジング外部の磁力変化により駆動される。
【００３９】
当該分野の技術を熟知するものが理解できるように、本発明の好適な実施形態を前述の通り開示したが、これらは決して本発明を限定するものではない。本発明の主旨と領域を逸脱しない範囲内で各種の変更や修正を加えることができる。従って、本発明の特許請求の範囲は、このような変更や修正を含めて広く解釈されるべきである。
【符号の説明】
【００４０】
１      冷却マニホールド
２      貯留槽
３      冷却マニホールド
４      ポンプ
５      熱交換器
６      充電池モジュール
７      管路
８      管路
９      管路
１０    システム
１００  システム
１１０  充電池芯
１２０  熱伝導流体
１３０  閉ざされたハウジング
１４０  ポンプ
１４２  循環管路
１５０  補助ポンプ
２００  充電池パック
２１０  充電池芯
２２０  ケース
３００  システム
３１０  電池ユニット
３２０  熱伝導流体
３３０  ハウジング
３３２  流通孔
３４０  ファン
【図１】
2015210867.tif 000003
【図２】
2015210867.tif 000004
【図３】
2015210867.tif 000005
【図４】
2015210867.tif 000006
【図５】
2015210867.tif 000007
【図６】
2015210867.tif 000008